(57)【要約】【課題】  紙幣の精査処理を行う際に収納部とは別に設けられた集積部を用いることにより収納部に収納された紙幣を他の収納部に移す必要がないため、収納部に収納されている紙幣が多い場合でも確実に精査処理を行うことができる紙幣処理装置を提供する。【解決手段】  搬送部（例えば、周回搬送部３０ａ）から送られた紙幣を集積する集積部（例えば、紙幣払出部２２や出金リジェクト部２４）には、当該集積部に集積された紙幣を搬送部に繰り出す収納繰出機構（例えば、収納繰出機構４０）が設けられている。制御部（例えば、紙幣釣銭機制御部６０）は、収納部に収納されている紙幣を搬送部により集積部に送った後に集積部に集積された紙幣を搬送部に繰り出して当該搬送部により元の収納部に戻し、この間に搬送部により搬送される紙幣を識別部（例えば、識別部３２）により識別する精査処理を行う。【選択図】  図２
2018125047.tif 000002
【特許請求の範囲】
【請求項１】
筐体と、
前記筐体内で紙幣の搬送を行う搬送部と、
前記搬送部に設けられ、当該搬送部により搬送される紙幣の識別を行う識別部と、
前記搬送部に接続され、当該搬送部から送られた紙幣を収納するとともに収納された紙幣を前記搬送部に繰り出し可能な収納部と、
前記搬送部に設けられ、当該搬送部から送られた紙幣の処理を行う処理部と、
前記処理部と交換可能となっている精査処理用第１集積部であって、前記処理部と交換されたときに、前記搬送部から送られた紙幣を集積するとともに集積された紙幣を前記搬送部に繰出可能な精査処理用第１集積部と、
前記収納部に収納されている紙幣を前記搬送部により前記処理部と交換された前記精査処理用第１集積部に送った後に前記精査処理用第１集積部に集積された紙幣を前記搬送部に繰り出して当該搬送部により元の前記収納部に戻し、この間に前記搬送部により搬送される紙幣を前記識別部により識別する精査処理を行う制御部と、
を備えた、紙幣処理装置。
【請求項２】
前記処理部は、前記筐体の内部から外部に紙幣を投出するための出金部、紙幣の入金処理を行う際に前記識別部により正常な紙幣ではないと識別された入金リジェクト紙幣が集積される入金リジェクト部、紙幣の出金処理を行う際に前記識別部により正常な紙幣ではないと識別された出金リジェクト紙幣が集積される出金リジェクト部、紙幣の入金処理を行う際に前記筐体の内部に投入された紙幣を前記収納部に送る前に一時的に保留する入金一時保留部、紙幣の出金処理を行う際に前記収納部から前記搬送部に繰り出された紙幣を前記出金部に送る前に一時的に保留する出金一時保留部、および紙幣の回収処理を行う際に前記収納部から送られた紙幣が集積される回収部からなる群のうち少なくとも一つのものからなる、請求項１記載の紙幣処理装置。
【請求項３】
筐体と、
前記筐体内で紙幣の搬送を行う搬送部と、
前記搬送部に設けられ、当該搬送部により搬送される紙幣の識別を行う識別部と、
前記搬送部に接続され、当該搬送部から送られた紙幣を収納するとともに収納された紙幣を前記搬送部に繰り出し可能な収納部と、
前記筐体に着脱自在となっている精査処理用第２集積部であって、前記筐体に取り付けられたときに、前記搬送部から送られた紙幣を集積するとともに集積された紙幣を前記筐体の内部へ送り出し可能な精査処理用第２集積部と、
前記収納部に収納されている紙幣を前記搬送部により前記筐体に取り付けられた前記精査処理用第２集積部に送った後に前記精査処理用第２集積部に集積された紙幣を前記筐体内の元の前記収納部に戻し、この間に前記搬送部により搬送される紙幣を前記識別部により識別する精査処理を行う制御部と、
を備えた、紙幣処理装置。
【発明の詳細な説明】
【技術分野】
【０００１】
本発明は、紙幣の処理を行う紙幣処理装置に関し、とりわけ、紙幣の精査処理を行うことができる紙幣処理装置に関する。
【背景技術】
【０００２】
従来から、売上金としての紙幣が入金されるとともに釣銭としての紙幣を出金する紙幣釣銭機として様々なタイプのものが知られている。より詳細には、紙幣釣銭機として、紙幣を入金するための入金口と、紙幣を出金するための出金口と、紙幣を金種別に収納する複数の金種別収納庫と、入金口、出金口および各金種別収納庫の間で紙幣を搬送する搬送部と、搬送部により搬送される紙幣を識別する識別部とを備えたものが従来から用いられていた。また、このような紙幣釣銭機では、筐体内に収納されている紙幣の在高を確認するために精査処理が行われるようになっている。精査処理とは、各金種別収納庫に収納されている紙幣を筐体内の別の場所に移動させ、その後、紙幣が移された場所から元の金種別収納庫に紙幣を戻し、各金種別収納庫から別の場所に紙幣を移動させる際または別の場所から各金種別収納庫に紙幣を戻す際に識別部により紙幣の計数を行うことで機内の紙幣の在高を確認する処理のことをいう。例えば、特許文献１には、精査用の収納庫として使用される混合収納庫（通常は、一万円紙幣および二千円紙幣が収納される）を空にし、次に千円収納庫に収納された千円紙幣を精査用の収納庫に移動させ、この際に識別部により千円紙幣の枚数を計数し、その後、再び精査用の収納庫を空にして五千円収納庫から五千円紙幣を精査用の収納庫に移動させ、この際に識別部により五千円紙幣の枚数を計数するような紙幣処理装置が開示されている。
【先行技術文献】
【特許文献】
【０００３】
【特許文献１】特許第５０６２３０９号公報
【発明の概要】
【発明が解決しようとする課題】
【０００４】
しかしながら、特許文献１に開示されるような従来の紙幣処理装置による精査処理の方法では、最初に精査用の収納庫として使用される混合収納庫を空にする際にこの混合収納庫に収納されている一万円紙幣および二千円紙幣を五千円収納庫に移動させる必要があり、五千円収納庫に収納されている五千円紙幣の枚数が多いと混合収納庫に収納されている一万円紙幣および二千円紙幣を五千円収納庫に移すことができず精査処理を行うことができないという問題がある。また、このような従来の紙幣処理装置による精査処理の方法では、五千円紙幣と一万円紙幣や二千円紙幣とが同じ収納庫に収納されることとなるため、収納庫で紙幣の詰まり等のトラブルが発生したときに五千円紙幣と一万円紙幣や二千円紙幣との区分けが面倒であるという問題がある。
【０００５】
本発明は、このような点を考慮してなされたものであり、紙幣の精査処理を行う際に収納部とは別に設けられた集積部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる紙幣処理装置を提供することを目的とする。
【課題を解決するための手段】
【０００６】
本発明の紙幣処理装置は、筐体と、前記筐体内で紙幣の搬送を行う搬送部と、前記搬送部に設けられ、当該搬送部により搬送される紙幣の識別を行う識別部と、前記搬送部に接続され、当該搬送部から送られた紙幣を収納するとともに収納された紙幣を前記搬送部に繰り出し可能な収納部と、前記搬送部に設けられ、当該搬送部から送られた紙幣の処理を行う処理部と、前記処理部と交換可能となっている精査処理用第１集積部であって、前記処理部と交換されたときに、前記搬送部から送られた紙幣を集積するとともに集積された紙幣を前記搬送部に繰出可能な精査処理用第１集積部と、前記収納部に収納されている紙幣を前記搬送部により前記処理部と交換された前記精査処理用第１集積部に送った後に前記精査処理用第１集積部に集積された紙幣を前記搬送部に繰り出して当該搬送部により元の前記収納部に戻し、この間に前記搬送部により搬送される紙幣を前記識別部により識別する精査処理を行う制御部と、を備えたことを特徴とする。
【０００７】
このような紙幣処理装置によれば、紙幣の精査処理を行う際に収納部とは別に設けられた精査処理用第１集積部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる。
【０００８】
上記の紙幣処理装置においては、前記処理部は、前記筐体の内部から外部に紙幣を投出するための出金部、紙幣の入金処理を行う際に前記識別部により正常な紙幣ではないと識別された入金リジェクト紙幣が集積される入金リジェクト部、紙幣の出金処理を行う際に前記識別部により正常な紙幣ではないと識別された出金リジェクト紙幣が集積される出金リジェクト部、紙幣の入金処理を行う際に前記筐体の内部に投入された紙幣を前記収納部に送る前に一時的に保留する入金一時保留部、紙幣の出金処理を行う際に前記収納部から前記搬送部に繰り出された紙幣を前記出金部に送る前に一時的に保留する出金一時保留部、および紙幣の回収処理を行う際に前記収納部から送られた紙幣が集積される回収部からなる群のうち少なくとも一つのものからなっていてもよい。
【０００９】
本発明の紙幣処理装置は、筐体と、前記筐体内で紙幣の搬送を行う搬送部と、前記搬送部に設けられ、当該搬送部により搬送される紙幣の識別を行う識別部と、前記搬送部に接続され、当該搬送部から送られた紙幣を収納するとともに収納された紙幣を前記搬送部に繰り出し可能な収納部と、前記筐体に着脱自在となっている精査処理用第２集積部であって、前記筐体に取り付けられたときに、前記搬送部から送られた紙幣を集積するとともに集積された紙幣を前記筐体の内部へ送り出し可能な精査処理用第２集積部と、前記収納部に収納されている紙幣を前記搬送部により前記筐体に取り付けられた前記精査処理用第２集積部に送った後に前記精査処理用第２集積部に集積された紙幣を前記筐体内の元の前記収納部に戻し、この間に前記搬送部により搬送される紙幣を前記識別部により識別する精査処理を行う制御部と、を備えたことを特徴とする。
【００１０】
このような紙幣処理装置によれば、紙幣の精査処理を行う際に収納部とは別に設けられた精査処理用第２集積部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる。
【発明の効果】
【００１１】
本発明の紙幣処理装置によれば、紙幣の精査処理を行う際に収納部とは別に設けられた集積部を用いることにより収納部に収納された紙幣を他の収納部に移す必要がないため、収納部に収納されている紙幣が多い場合でも確実に精査処理を行うことができ、また複数の金種の紙幣が混合してしまうことを防止することができる。
【図面の簡単な説明】
【００１２】
【図１Ａ】本発明の実施の形態による貨幣処理システムの貨幣釣銭機、棒金収納装置    およびＰＯＳレジスタの構成を示す斜視図である。
【図１Ｂ】本発明の実施の形態による紙幣釣銭機の構成を示す斜視図である。
【図２】図１Ｂに示す紙幣釣銭機の内部の構成の概略を示す概略構成図である。
【図３】図２に示す紙幣釣銭機の紙幣払出部に設けられた収納繰出機構の構成を示す    図である。
【図４】図２に示す紙幣釣銭機の紙幣払出部に設けられた収納繰出機構の構成を示す    図である。
【図５】図１Ａに示す貨幣処理システムにおける紙幣釣銭機、硬貨釣銭機およびＰＯ    Ｓレジスタの制御系の構成を示す機能ブロック図である。
【図６】本発明の実施の形態による紙幣釣銭機の内部の他の構成の概略を示す概略構    成図である。
【図７Ａ】本発明の実施の形態による紙幣釣銭機の内部の更に他の構成の概略を示す    概略構成図である。
【図７Ｂ】本発明の実施の形態による紙幣釣銭機の内部の更に他の構成の概略を示す    概略構成図である。
【図８】本発明の実施の形態による紙幣釣銭機の内部の更に他の構成の概略を示す概    略構成図である。
【図９】本発明の実施の形態による紙幣釣銭機の内部の更に他の構成の概略を示す概    略構成図である。
【発明を実施するための形態】
【００１３】
以下、図面を参照して本発明の実施の形態について説明する。図１Ａ乃至図９は、本実施の形態による紙幣釣銭機およびこの紙幣釣銭機を備えた貨幣処理システムを示す図である。このうち、図１Ａは、本実施の形態による貨幣処理システムの貨幣釣銭機、棒金収納装置およびＰＯＳレジスタの構成を示す斜視図であり、図１Ｂは、本実施の形態による紙幣釣銭機の構成を示す斜視図である。また、図２は、図１Ｂに示す紙幣釣銭機の内部の構成の概略を示す概略構成図である。また、図３および図４は、図２に示す紙幣釣銭機の紙幣払出部に設けられた収納繰出機構の構成を示す図である。また、図５は、図１Ａに示す貨幣処理システムにおける紙幣釣銭機、硬貨釣銭機およびＰＯＳレジスタの制御系の構成を示す機能ブロック図である。また、図６乃至図９は、それぞれ、本実施の形態による紙幣釣銭機の内部の他の様々な構成の概略を示す概略構成図である。
【００１４】
まず、本実施の形態による紙幣釣銭機１０を備えた貨幣処理システムの構成について図１Ａを用いて説明する。図１Ａに示すように、本実施の形態による貨幣処理システムは、上下に並べて配置された硬貨釣銭機７０および棒金収納装置８０と、これらの硬貨釣銭機７０や棒金収納装置８０の隣に並べて配置された紙幣釣銭機１０と、硬貨釣銭機７０や紙幣釣銭機１０の上方に設けられたＰＯＳレジスタ７２とを備えている。硬貨釣銭機７０および紙幣釣銭機１０は、それぞれ硬貨や紙幣の入出金処理を行うようになっている。これらの硬貨釣銭機７０および紙幣釣銭機１０により貨幣釣銭機が構成されている。また、棒金収納装置８０は、各金種の棒金硬貨（同一金種の硬貨を一定枚数だけ棒状にまとめてフィルムや包装紙等により包装したもの）を取り出し可能に収納するようになっている。また、ＰＯＳレジスタ７２は、硬貨釣銭機７０、紙幣釣銭機１０および棒金収納装置８０の管理を行う管理装置として用いられるようになっている。
【００１５】
次に、紙幣釣銭機１０の構成の詳細について説明する。図１Ｂに示すように、本実施の形態による紙幣釣銭機１０は、その前面に開口が設けられた略直方体形状のケーシング１２と、ケーシング１２の内部から手前側に引き出し可能となっている本体部１４とを備えている。具体的には、本体部１４の下部には左右一対の引き出しレール１６が設けられており、各引き出しレール１６に沿って本体部１４をケーシング１２の内部から手前側に引き出すことができるようになっている。なお、図１Ｂでは本体部１４がケーシング１２の内部から引き出されたときの状態が示されているが、紙幣釣銭機１０が実際に使用される際には本体部１４はケーシング１２の内部に収容された状態で紙幣の入出金処理等の様々な処理が行われるようになっている。
【００１６】
図２等に示すように、本体部１４には紙幣を１枚ずつ搬送する搬送部３０が設けられている。搬送部３０は本体部１４の中央位置に配置された周回搬送部３０ａおよび複数の接続搬送部３０ｂから構成されている。また、紙幣受入部２０、紙幣払出部２２、出金リジェクト部２４、紙幣回収カセット２６および３つの紙幣収納部３４、３６、３８が、それぞれ、周回搬送部３０ａを外側から取り囲むように配置されている。また、図２等に示すように、複数の接続搬送部３０ｂの各々により、紙幣受入部２０、紙幣払出部２２、出金リジェクト部２４、紙幣回収カセット２６および各紙幣収納部３４、３６、３８と、周回搬送部３０ａとの間をそれぞれ接続するようになっている。また、周回搬送部３０ａには識別部３２が設けられており、この識別部３２は、周回搬送部３０ａにより搬送される紙幣の金種、真偽、正損等の識別を行うようになっている。
【００１７】
周回搬送部３０ａは、図２における時計回りの方向および反時計回りの方向の両方向に紙幣を１枚ずつ搬送することができるようになっている。また、搬送部３０において、周回搬送部３０ａと各接続搬送部３０ｂとの間で紙幣の搬送経路を切り換える経路切換部（図示せず）が、周回搬送部３０ａに沿って配置されている。
【００１８】
図１Ｂおよび図２に示すように、本体部１４の前面には、紙幣受入部２０の紙幣受入口２０ａと、紙幣払出部２２の紙幣取出口２２ａとがそれぞれ設けられている。また、紙幣回収カセット２６は本体部１４に対して着脱可能に設置されている。
【００１９】
紙幣受入部２０には繰出機構２１が設けられており、紙幣受入口２０ａに１枚あるいは複数枚の紙幣が投入されたことが検知されると繰出機構２１が駆動されることにより紙幣が接続搬送部３０ｂを介して周回搬送部３０ａ側へ１枚ずつ繰り出されるようになっている。
【００２０】
紙幣払出部２２は、各紙幣収納部３４、３６、３８から周回搬送部３０ａに繰り出された紙幣を紙幣取出口２２ａにより本体部１４の外部へ放出するようになっている。ここで、紙幣払出部２２には、周回搬送部３０ａから接続搬送部３０ｂを介して当該紙幣払出部２２に送られた紙幣を積層状態で集積するとともにこの集積された紙幣を一括して紙幣取出口２２ａに送ったり１枚ずつ接続搬送部３０ｂを介して周回搬送部３０ａに繰り出したりするための収納繰出機構４０が設けられている。
【００２１】
より詳細には、紙幣釣銭機１０において紙幣の出金処理を行う際に、紙幣釣銭機１０から払い出されるべき紙幣が全て各紙幣収納部３４、３６、３８から紙幣払出部２２に送られるまでは各紙幣収納部３４、３６、３８から紙幣払出部２２に送られた紙幣は当該紙幣払出部２２に積層状態で集積されるようになっている。そして、紙幣釣銭機１０から払い出されるべき紙幣が全て各紙幣収納部３４、３６、３８から紙幣払出部２２に送られた後、紙幣払出部２２に集積された紙幣が収納繰出機構４０により一括して紙幣取出口２２ａに送られ、操作者はこの紙幣取出口２２ａから紙幣の束を抜き取ることができるようになる。また、紙幣取出口２２ａには、紙幣払出部２２から紙幣取出口２２ａに送られた紙幣を検知する紙幣残留検知センサ（図示せず）が設けられている。このような紙幣残留検知センサにより、紙幣払出部２２から紙幣取出口２２ａに送られた紙幣が操作者によって全て抜き取られたときにこのことが検知されるようになる。更に、紙幣払出部２２には、当該紙幣払出部２２内の紙幣の有無を検知するセンサ（図示せず）も設けられており、このセンサによって紙幣払出部２２内に紙幣が存在するか否かが検知されるようになっている。
【００２２】
また、紙幣取出口２２ａには、当該紙幣取出口２２ａを選択的に塞ぐシャッタ（図示せず）が設けられていてもよい。このようなシャッタが紙幣取出口２２ａに設けられている場合には、通常時は紙幣取出口２２ａがシャッタにより閉止されることにより、操作者は紙幣取出口２２ａに手を入れることにより紙幣払出部２２に集積された紙幣を取り出すことができなくなるためセキュリティ性を高めることができるようになる。そして、紙幣払出部２２に集積された紙幣が収納繰出機構４０により一括して紙幣取出口２２ａに送られる際に、シャッタが紙幣取出口２２ａを開き、操作者は紙幣取出口２２ａから紙幣を抜き取ることができるようになる。
【００２３】
また、紙幣払出部２２に設けられた収納繰出機構４０は、当該紙幣払出部２２に集積された紙幣を１枚ずつ接続搬送部３０ｂを介して周回搬送部３０ａに繰り出すことができるようになっている。より詳細には、本実施の形態では、紙幣釣銭機１０において精査処理が行われる際に、各紙幣収納部３４、３６、３８から周回搬送部３０ａに繰り出されて識別部３２により識別された紙幣は紙幣払出部２２に送られてこの紙幣払出部２２に集積され、紙幣収納部３４、３６、３８の各々から紙幣払出部２２に紙幣が全て送られた後、紙幣払出部２２に集積された紙幣は収納繰出機構４０により周回搬送部３０ａに繰り出されて元の紙幣収納部３４、３６、３８に戻されるようになっている。このような収納繰出機構４０の構成の詳細については後述する。
【００２４】
出金リジェクト部２４は、出金処理時において各紙幣収納部３４、３６、３８から繰り出された紙幣のうち、重送や斜行等の搬送異常により識別部３２で識別することができない紙幣を出金リジェクト紙幣として収納するようになっている。また、本実施の形態の紙幣釣銭機１０では、入金処理時において紙幣受入部２０から紙幣釣銭機１０の筐体内に取り込まれた紙幣のうち、汚損等により識別部３２で識別することができない紙幣は入金リジェクト紙幣として紙幣払出部２２に返却されるようになっている。
【００２５】
本体部１４の前面下部にはカセット収容部が設けられており、このカセット収容部に紙幣回収カセット２６が着脱可能に収容されるようになっている。紙幣回収カセット２６は本体部１４の前面から手前側に引き出すことにより当該本体部１４の外部に取り出すことができるようになっており、紙幣回収カセット２６を着脱する際に、本体部１４をケーシング１２から引き出す必要がないためセキュリティ性が高くなる。
【００２６】
各紙幣収納部３４、３６、３８は、識別部３２の識別結果に基づいて紙幣を金種別に収納するようになっている。具体的には、例えば紙幣収納部３４には千円札が収納され、紙幣収納部３６には二千円札および五千円札が混合状態で収納され、紙幣収納部３８には一万円札が収納されるようになっている。また、各紙幣収納部３４、３６、３８にはそれぞれ繰出機構３５、３７、３９が設けられており、これらの紙幣収納部３４、３６、３８に収納されている紙幣は各繰出機構３５、３７、３９により接続搬送部３０ｂを介して周回搬送部３０ａ側へ１枚ずつ繰り出されるようになっている。
【００２７】
次に、紙幣払出部２２に設けられた収納繰出機構４０の構成の詳細について図３および図４を用いて説明する。なお、図３は、紙幣払出部２２に紙幣が集積されたときの状態を示す図であり、図４は、紙幣払出部２２に集積された紙幣を当該紙幣払出部２２から繰り出すときの状態を示す図である。
【００２８】
図３および図４に示すように、収納繰出機構４０は、紙幣払出部２２内で上下方向に移動自在となっているステージ４８を有しており、搬送部３０の接続搬送部３０ｂから紙幣払出部２２に送られた紙幣はステージ４８上に積層状態で集積されるようになっている。また、収納繰出機構４０において、ステージ４８の下部にはパンタグラフ形状の昇降機構４９が設けられており、当該昇降機構４９によりステージ４８が上下方向に移動させられるようになっている。より詳細には、昇降機構４９によりステージ４８には常に上向きの力が付勢されるようになっている。また、収納繰出機構４０は、ステージ４８上に集積された紙幣を上方から下向きに押さえる紙幣押さえ部材４６を有している。紙幣押さえ部材４６は上下方向に移動自在となっており、紙幣払出部２２に紙幣を集積する際には図３に示すように当該紙幣押さえ部材４６は後述する搬送ベルト４２よりも下方に位置し、一方、紙幣払出部２２から紙幣を繰り出すときには図４に示すように紙幣押さえ部材４６は後述する搬送ベルト４２よりも上方の位置に移動するようになっている。
【００２９】
また、収納繰出機構４０において、ステージ４８の上方には、当該ステージ４８上に集積された紙幣を繰り出すための搬送ベルト４２が設けられている。また、ステージ４８には、当該ステージ４８上に集積された紙幣を繰り出すための複数の駆動ローラ４７が設けられている。ここで、紙幣払出部２２に集積された紙幣を収納繰出機構４０により一括して紙幣取出口２２ａに送る際には、図４に示すように紙幣押さえ部材４６が搬送ベルト４２よりも上方の位置に移動してステージ４８上に集積された複数の紙幣のうち最上層にある紙幣が搬送ベルト４２に接触した後、ステージ４８上の紙幣の束が当該ステージ４８と搬送ベルト４２との間で挟圧された状態で搬送ベルト４２が図４における反時計回りの方向に循環移動するとともに各駆動ローラ４７が図４における時計回りの方向に回転することにより、ステージ４８と搬送ベルト４２との間に位置する紙幣の束が一括して紙幣取出口２２ａに送られるようになる。一方、紙幣払出部２２に集積された紙幣を収納繰出機構４０により１枚ずつ接続搬送部３０ｂを介して周回搬送部３０ａに繰り出す際には、図４に示すように紙幣押さえ部材４６が搬送ベルト４２よりも上方の位置に移動してステージ４８上に集積された複数の紙幣のうち最上層にある紙幣が搬送ベルト４２に接触した後、当該搬送ベルト４２が図４における時計回りの方向に循環移動することにより、ステージ４８上に集積された紙幣のうち最上層にある紙幣が図４における左方向に１枚ずつ繰り出されるようになる。また、図３および図４に示すように、搬送ベルト４２にはピンチローラ４４および分離ローラ４５がそれぞれ当接しており、ステージ４８上に集積された紙幣が図４における左方向に繰り出されるときに当該紙幣は搬送ベルト４２と分離ローラ４５との間に形成されたゲート部により１枚ずつに分離され、また、搬送ベルト４２とピンチローラ４４との間のニップ部から接続搬送部３０ｂに繰り出されるようになっている。
【００３０】
なお、本実施の形態では、ステージ４８に複数の駆動ローラ４７を設置する代わりに、搬送ベルト４２と同様の構成の搬送ベルト（図示せず）をステージ４８に設けてもよい。この場合には、紙幣払出部２２に集積された紙幣を収納繰出機構４０により一括して紙幣取出口２２ａに送る際には、図４に示すように紙幣押さえ部材４６が搬送ベルト４２よりも上方の位置に移動してステージ４８上に集積された複数の紙幣のうち最上層にある紙幣が搬送ベルト４２に接触した後、ステージ４８上の紙幣の束が当該ステージ４８と搬送ベルト４２との間で挟圧された状態で搬送ベルト４２が図４における反時計回りの方向に循環移動するとともにステージ４８に設けられた搬送ベルトが搬送ベルト４２と同期して循環移動することにより、ステージ４８と搬送ベルト４２との間に位置する紙幣の束が一括して紙幣取出口２２ａに送られるようになる。
【００３１】
次に、本実施の形態による紙幣釣銭機１０を備えた貨幣処理システムの制御系の構成について図５を用いて説明する。図５は、図１Ａに示す貨幣処理システムにおける紙幣釣銭機１０、硬貨釣銭機７０およびＰＯＳレジスタ７２の制御系の構成を示す機能ブロック図である。
【００３２】
図５に示すように、紙幣釣銭機１０、硬貨釣銭機７０、ＰＯＳレジスタ７２にはそれぞれ紙幣釣銭機制御部６０、硬貨釣銭機制御部７０ａ、ＰＯＳ制御部７３がそれぞれ設けられている。ここで、紙幣釣銭機１０の紙幣釣銭機制御部６０および硬貨釣銭機７０の硬貨釣銭機制御部７０ａは互いに通信可能となるよう接続されている。また、硬貨釣銭機７０の硬貨釣銭機制御部７０ａおよびＰＯＳレジスタ７２のＰＯＳ制御部７３は互いに通信可能となるよう接続されている。
【００３３】
ＰＯＳレジスタ７２においてＰＯＳ制御部７３にはカードリーダ７４、印字部７５、表示部７６、操作部７７、記憶部７８およびインターフェース７９がそれぞれ接続されている。カードリーダ７４は、操作者のＩＤカードを読み取ることにより操作者ＩＤや操作者の権限等に関する情報を取得するようになっている。また、印字部７５は例えばプリンタから構成され、レシートに取引内容を印字したり、紙幣釣銭機１０や硬貨釣銭機７０の在高等の様々な情報を印字したりするようになっている。また、表示部７６は、紙幣釣銭機１０や硬貨釣銭機７０における紙幣や硬貨の処理状況や、紙幣釣銭機１０や硬貨釣銭機７０の在高等の情報を表示するようになっている。また、操作部７７は、操作者が操作することができるようになっており、ＰＯＳ制御部７３に対して様々な指令を与えることができるようになっている。また、記憶部７８は、紙幣釣銭機１０や硬貨釣銭機７０における紙幣や硬貨の処理状況や、紙幣釣銭機１０や硬貨釣銭機７０の在高等の情報を記憶するようになっている。また、ＰＯＳ制御部７３はインターフェース７９により硬貨釣銭機７０の硬貨釣銭機制御部７０ａに対して信号の送受信を行うようになっている。
【００３４】
また、硬貨釣銭機７０の硬貨釣銭機制御部７０ａは、当該硬貨釣銭機７０の各構成部材の制御を行うようになっている。なお、図５に示す機能ブロック図では、硬貨釣銭機制御部７０ａにより制御される硬貨釣銭機７０の各構成部材の図示を省略している。また、硬貨釣銭機制御部７０ａにはインターフェース７１が接続されており、当該硬貨釣銭機制御部７０ａはインターフェース７１によりＰＯＳレジスタ７２のＰＯＳ制御部７３や紙幣釣銭機１０の紙幣釣銭機制御部６０に対して信号の送受信を行うようになっている。
【００３５】
また、紙幣釣銭機１０において、紙幣釣銭機制御部６０には、インターフェース６１、紙幣受入部２０に設けられた繰出機構２１、搬送部３０、識別部３２、各紙幣収納部３４、３６、３８に設けられた繰出機構３５、３７、３９、ならびに紙幣払出部２２に設けられた収納繰出機構４０がそれぞれ接続されている。ここで、識別部３２による紙幣の識別結果に係る情報は紙幣釣銭機制御部６０に送られるようになっている。また、紙幣釣銭機制御部６０は、繰出機構２１、搬送部３０、各繰出機構３５、３７、３９、収納繰出機構４０にそれぞれ指令を送ることによりこれらの構成部材の制御を行うようになっている。また、紙幣釣銭機制御部６０はインターフェース６１により硬貨釣銭機７０の硬貨釣銭機制御部７０ａに対して信号の送受信を行うようになっている。
【００３６】
次に、このような構成からなる紙幣釣銭機１０による入出金処理等の様々な処理内容について以下に説明する。なお、以下に示すような紙幣の処理方法は、紙幣釣銭機制御部６０が紙幣釣銭機１０の各構成部材を制御することにより行われるようになっている。
【００３７】
まず、紙幣釣銭機１０において入金処理が行われる際の動作について説明する。紙幣釣銭機１０の紙幣受入口２０ａに紙幣が投入されると、紙幣受入部２０は、紙幣受入口２０ａに投入された入金紙幣を一括で取り込んで、接続搬送部３０ｂを介して周回搬送部３０ａに紙幣を１枚ずつ繰り出す。そして、周回搬送部３０ａに繰り出された紙幣は当該周回搬送部３０ａにより搬送され、この際に識別部３２により紙幣の識別が行われる。
【００３８】
識別部３２により識別が行われた紙幣のうち正常な紙幣であると判別された紙幣は、その金種に対応する各紙幣収納部３４、３６、３８に送られ、これらの紙幣収納部３４、３６、３８に収納される。具体的には、紙幣収納部３４には千円札が収納され、紙幣収納部３６には二千円札および五千円札が混合状態で収納され、紙幣収納部３８には一万円札が収納される。一方、識別部３２による識別結果により正常な紙幣ではないと判別された紙幣は入金リジェクト紙幣として搬送部３０により紙幣払出部２２に搬送され、この紙幣払出部２２に集積される。そして、紙幣受入口２０ａに投入された入金紙幣が全て各紙幣収納部３４、３６、３８または紙幣払出部２２に送られた後、紙幣払出部２２に集積された入金リジェクト紙幣が収納繰出機構４０により紙幣取出口２２ａに送られる。このことにより、操作者は、入金リジェクト紙幣を紙幣取出口２２ａから取り出して紙幣受入部２０の紙幣受入口２０ａに再投入することができるようになる。
【００３９】
次に、紙幣釣銭機１０において出金処理が行われる際の動作について以下に説明する。出金される紙幣の合計金額あるいは金種別の枚数等を含む出金処理の開始指令が紙幣釣銭機制御部６０に入力されると、各紙幣収納部３４、３６、３８に収納されている紙幣が、各紙幣収納部３４、３６、３８に対応する各繰出機構３５、３７、３９により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図２における時計回りの方向に少なくとも１周回るよう搬送され、この際に識別部３２により紙幣の金種、真偽、正損等の識別が行われる。識別部３２により識別が行われた紙幣のうち正常な紙幣であると判別された紙幣は紙幣払出部２２に搬送され、この紙幣払出部２２に集積される。一方、識別部３２による識別結果により正常な紙幣ではないと判別された紙幣（例えば、重送や斜行等の搬送異常の紙幣）は出金リジェクト紙幣として搬送部３０により出金リジェクト部２４に搬送され、この出金リジェクト部２４に集積される。出金リジェクト部２４に集積された出金リジェクト紙幣は、管理者等の所定の権限を有する者が紙幣釣銭機１０のケーシング１２から本体部１４を手前側に引き出すことにより取り出すことができるようになる。そして、出金されるべき紙幣が各紙幣収納部３４、３６、３８から紙幣払出部２２に送られた後、紙幣取出口２２ａに設けられたシャッタが開かれ、紙幣払出部２２に集積された紙幣が収納繰出機構４０により一括して紙幣取出口２２ａに送られる。このことにより、操作者は、出金紙幣を紙幣取出口２２ａから取り出すことができるようになる。
【００４０】
次に、紙幣釣銭機１０において精査処理が行われる際の動作について以下に説明する。ここで、精査処理とは、紙幣釣銭機１０の本体部１４の内部（具体的には、各紙幣収納部３４、３６、３８）に収納されている紙幣の在高を確認するために、各紙幣収納部３４、３６、３８に収納されている全ての紙幣について識別部３２により識別および計数を行う処理のことをいう。
【００４１】
精査処理開始の指令が操作者によってＰＯＳレジスタ７２の操作部７７により入力されて当該ＰＯＳレジスタ７２から紙幣釣銭機１０の紙幣釣銭機制御部６０に精査処理開始の指令が送られると、複数の紙幣収納部３４、３６、３８のうちまず紙幣収納部３４に収納されている紙幣が繰出機構３５により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図２における時計回りの方向に少なくとも１周回るよう搬送され、この際に識別部３２により紙幣の金種等の識別および計数が行われる。識別部３２により正常な紙幣であると識別された紙幣は紙幣払出部２２に送られ、紙幣払出部２２に設けられた収納繰出機構４０のステージ４８上に集積される。一方、識別部３２による識別結果により正常な紙幣ではないと判別された紙幣（例えば、重送や斜行等の搬送異常の紙幣）は検査リジェクト紙幣として搬送部３０により出金リジェクト部２４に搬送され、この出金リジェクト部２４に集積される。出金リジェクト部２４に集積された検査リジェクト紙幣は、管理者等の所定の権限を有する者が紙幣釣銭機１０のケーシング１２から本体部１４を手前側に引き出すことにより取り出すことができるようになる。
【００４２】
そして、紙幣収納部３４に収納されている紙幣が全て紙幣払出部２２や出金リジェクト部２４に送られると、紙幣払出部２２に集積された紙幣が収納繰出機構４０の搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は識別部３２により識別および計数が行われることなく紙幣収納部３４に戻される。全ての紙幣が紙幣収納部３４に戻されると、当該金種（千円）の紙幣の在高が確定する。紙幣収納部３４に収納されている紙幣について上述の動作が完了すると、紙幣収納部３６、３８に収納されている紙幣についても上述の動作が紙幣収納部毎に行われる。このようにして、全ての紙幣収納部３４、３６、３８に収納されている紙幣について上述の動作が行われて識別部３２により紙幣の識別および計数が行われると、紙幣釣銭機１０における精査処理が完了する。紙幣釣銭機１０において紙幣の精査処理が完了すると、当該紙幣釣銭機１０における紙幣の精査処理の結果に係る情報が紙幣釣銭機１０の紙幣釣銭機制御部６０からＰＯＳレジスタ７２のＰＯＳ制御部７３に送られる。このことにより、紙幣釣銭機１０における紙幣の精査処理の結果に係る情報がＰＯＳレジスタ７２の表示部７６で表示されたり印字部７５によりレシート等に印字されたりするようになる。
【００４３】
なお、本実施の形態では、精査処理開始の指令が操作者によってＰＯＳレジスタ７２の操作部７７により入力されると、紙幣釣銭機１０において上記の紙幣の精査処理が行われるのと並行して、硬貨釣銭機７０において硬貨の精査処理が行われるようになっていてもよい。この場合には、紙幣釣銭機１０において紙幣の精査処理が完了するとともに硬貨釣銭機７０において硬貨の精査処理が完了すると、紙幣釣銭機１０における紙幣の精査処理の結果に係る情報のみならず硬貨釣銭機７０における硬貨の精査処理の結果に係る情報もＰＯＳレジスタ７２のＰＯＳ制御部７３に送られる。このことにより、紙幣釣銭機１０における紙幣の精査処理の結果に係る情報に加えて、硬貨釣銭機７０における硬貨の精査処理の結果に係る情報もＰＯＳレジスタ７２の表示部７６で表示されたり印字部７５によりレシート等に印字されたりするようになる。
【００４４】
また、上記の説明では、各紙幣収納部３４、３６、３８から紙幣払出部２２に紙幣が送られる際に識別部３２により識別および計数が行われるような態様について述べたが、このような態様に限定されることはない。他の態様として、紙幣払出部２２から各紙幣収納部３４、３６、３８に紙幣が戻される際に識別部３２により識別および計数が行われるようになっていてもよく、あるいは、各紙幣収納部３４、３６、３８から紙幣払出部２２に紙幣が送られるときおよび紙幣払出部２２から各紙幣収納部３４、３６、３８に紙幣が戻されるときの両方において識別部３２により識別および計数が行われるようになっていてもよい。
【００４５】
また、本実施の形態による紙幣釣銭機１０では、紙幣払出部２２に集積された紙幣を収納繰出機構４０により接続搬送部３０ｂを介して周回搬送部３０ａに繰り出すことができるようになっているため、紙幣釣銭機１０において入金処理を行う際に紙幣払出部２２を入金一時保留部として使用することができる。紙幣釣銭機１０において入金処理時に紙幣払出部２２を入金一時保留部として使用したときの紙幣の流れについて以下に説明する。
【００４６】
紙幣釣銭機１０において紙幣の入金処理が行われる際に、操作者が紙幣受入部２０の紙幣受入口２０ａに紙幣の束を投入すると、投入された紙幣は繰出機構２１により１枚ずつ搬送部３０の接続搬送部３０ｂに繰り出され、この接続搬送部３０ｂから周回搬送部３０ａに紙幣が受け渡される。周回搬送部３０ａに送られた紙幣は当該周回搬送部３０ａで反時計回りの方向に搬送され、このような紙幣の搬送時に識別部３２により当該紙幣の金種、真偽、正損等の識別が行われる。識別部３２により識別が行われた紙幣のうち正常な紙幣であると判別された紙幣は紙幣払出部２２に送られ、この紙幣払出部２２に設けられた収納繰出機構４０のステージ４８上に集積される。紙幣払出部２２では、紙幣が金種混合状態で集積されるようになる。一方、識別部３２による識別結果により正常な紙幣ではないと判別された紙幣は入金リジェクト紙幣として搬送部３０により出金リジェクト部２４に搬送され、この出金リジェクト部２４に集積される。出金リジェクト部２４に集積された入金リジェクト紙幣は、管理者等の所定の権限を有する者が紙幣釣銭機１０のケーシング１２から本体部１４を手前側に引き出すことにより取り出すことができるようになる。
【００４７】
そして、紙幣受入部２０に受け入れられた紙幣が全て紙幣払出部２２または出金リジェクト部２４に搬送された後、操作者がＰＯＳレジスタ７２の操作部７７により入金確定（承認）の指令を入力すると、紙幣払出部２２に集積された紙幣が搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は当該周回搬送部３０ａで搬送され、その後その金種に対応する各紙幣収納部３４、３６、３８に送られ、これらの紙幣収納部３４、３６、３８に収納される。具体的には、紙幣収納部３４には千円札が収納され、紙幣収納部３６には二千円札および五千円札が混合状態で収納され、紙幣収納部３８には一万円札が収納される。一方、紙幣受入部２０に受け入れられた紙幣が全て紙幣払出部２２または出金リジェクト部２４に搬送された後、操作者がＰＯＳレジスタ７２の操作部７７により入金確定（承認）の指令の代わりに返却（非承認）の指令を入力すると、紙幣取出口２２ａに設けられたシャッタが開かれ、紙幣払出部２２に集積された紙幣が収納繰出機構４０により一括して紙幣取出口２２ａに送られる。このことにより、操作者は、入金紙幣を紙幣取出口２２ａから取り出すことができるようになる。
【００４８】
また、本実施の形態による紙幣釣銭機１０では、紙幣払出部２２に集積された紙幣を収納繰出機構４０により接続搬送部３０ｂを介して周回搬送部３０ａに繰り出すことができるようになっているため、紙幣釣銭機１０において出金処理を行う際に、出金されるべき紙幣が各紙幣収納部３４、３６、３８から紙幣払出部２２に送られた後、操作者がＰＯＳレジスタ７２の操作部７７により出金中止の指令を入力すると、紙幣払出部２２に集積された紙幣を各紙幣収納部３４、３６、３８に戻すことができるようになる。また、更に他の例では、紙幣釣銭機１０において出金処理を行う際に、出金されるべき紙幣が各紙幣収納部３４、３６、３８から紙幣払出部２２に送られた後、操作者がＰＯＳレジスタ７２の操作部７７により出金中止の指令を入力すると、紙幣払出部２２に集積された紙幣を出金リジェクト部２４に送るようにしてもよい。
【００４９】
以上のような構成からなる本実施の形態の紙幣釣銭機１０によれば、精査処理を行う際に、各紙幣収納部３４、３６、３８に収納されている紙幣を搬送部３０により紙幣払出部２２に送った後にこの紙幣払出部２２に集積された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた紙幣払出部２２を用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。
【００５０】
なお、本実施の形態による紙幣釣銭機は、上述したような態様に限定されることはなく、様々な変更を加えることができる。
【００５１】
例えば、紙幣釣銭機において、周回搬送部３０ａにより搬送される紙幣の金種、真偽、正損等の識別を行う識別部３２とは別に、紙幣の金種および枚数の検出のみを行うような精査処理用の計数部を設けてもよい。このような紙幣釣銭機によれば、紙幣の精査処理を行う際に各紙幣収納部３４、３６、３８から繰り出された紙幣を識別部３２に送る必要はなく、代わりに精査処理用の計数部を通過させればよいので、紙幣の精査処理時における紙幣の搬送ルートの自由度を高めることができる。
【００５２】
また、変形例に係る紙幣釣銭機として、紙幣払出部２２に収納繰出機構４０が設けられる代わりに出金リジェクト部２４に収納繰出機構４０が設けられたものが用いられてもよい。このような変形例に係る紙幣釣銭機の構成を図６に示す。図６に示す紙幣釣銭機１０ａを説明するにあたり、図１Ｂに示す紙幣釣銭機１０と同一の構成部材については同一の参照符号を付してその説明を省略する。
【００５３】
図６に示す紙幣釣銭機１０ａでは、紙幣払出部２２には収納繰出機構４０が設けられておらず、紙幣払出部２２に集積された紙幣を接続搬送部３０ｂに繰り出すことができないようになっている。すなわち、図６に示す紙幣釣銭機１０ａでは、紙幣払出部２２は、各紙幣収納部３４、３６、３８から周回搬送部３０ａに繰り出された紙幣を紙幣取出口２２ａにより本体部１４の外部へ放出する機能のみを有している。
【００５４】
一方、図６に示す紙幣釣銭機１０ａでは、出金リジェクト部２４に収納繰出機構４０が設けられている。このことにより、出金リジェクト部２４に集積された紙幣を１枚ずつ収納繰出機構４０により接続搬送部３０ｂを介して周回搬送部３０ａに繰り出すことができるようになっている。また、出金リジェクト部２４には、当該出金リジェクト部２４内の紙幣の有無を検知するセンサ（図示せず）が設けられており、このセンサによって出金リジェクト部２４内に紙幣が存在するか否かが検知されるようになっている。なお、紙幣払出部２２に収納繰出機構４０を設けた場合と異なり、出金リジェクト部２４に集積された紙幣は収納繰出機構４０によりこの出金リジェクト部２４から本体部１４の外部に放出されることがないため、収納繰出機構４０において各駆動ローラ４７の設置を省略することができる。
【００５５】
次に、図６に示すような変形例に係る紙幣釣銭機１０ａにおいて紙幣の精査処理が行われる際の動作について以下に説明する。
【００５６】
精査処理開始の指令が操作者によってＰＯＳレジスタ７２の操作部７７により入力されて当該ＰＯＳレジスタ７２から紙幣釣銭機１０ａの紙幣釣銭機制御部６０に精査処理開始の指令が送られると、出金リジェクト部２４内に出金リジェクト紙幣が存在するか否かがチェックされ、出金リジェクト部２４内に出金リジェクト紙幣が存在する場合は、当該紙幣は出金リジェクト部２４から繰り出されて識別部３２により識別された後に対応する紙幣収納部３４、３６、３８に振り分けられるか、紙幣回収カセット２６に送られて回収される。出金リジェクト部２４が空の場合、あるいは空になった場合は、複数の紙幣収納部３４、３６、３８のうちまず紙幣収納部３４に収納されている紙幣が繰出機構３５により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図６における時計回りの方向に少なくとも１周回るよう搬送され、この際に識別部３２により紙幣の金種等の識別および計数が行われる。識別部３２により正常な紙幣であると識別された紙幣は出金リジェクト部２４に送られ、出金リジェクト部２４に設けられた収納繰出機構４０のステージ４８上に集積される。一方、識別部３２による識別結果により正常な紙幣ではないと判別された紙幣（例えば、重送や斜行等の搬送異常の紙幣）は検査リジェクト紙幣として搬送部３０により出金リジェクト部２４以外の箇所、具体的には例えば紙幣払出部２２に搬送され、この紙幣払出部２２に集積される。紙幣払出部２２に集積された検査リジェクト紙幣は、紙幣釣銭機１０ａにおける紙幣の精査処理が完了した後、紙幣払出部２２から紙幣取出口２２ａに送られ、操作者は紙幣取出口２２ａから検査リジェクト紙幣を抜き取ることができるようになる。
【００５７】
そして、紙幣収納部３４に収納されている紙幣が全て紙幣払出部２２や出金リジェクト部２４に送られると、出金リジェクト部２４に集積された紙幣が収納繰出機構４０の搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は識別部３２により識別および計数が行われることなく紙幣収納部３４に戻される。全ての紙幣が紙幣収納部３４に戻されると、当該金種（千円）の紙幣の在高が確定する。紙幣収納部３４に収納されている紙幣について上述の動作が完了すると、紙幣収納部３６、３８に収納されている紙幣についても上述の動作が紙幣収納部毎に行われる。このようにして、全ての紙幣収納部３４、３６、３８に収納されている紙幣について上述の動作が行われて識別部３２により紙幣の識別および計数が行われると、紙幣釣銭機１０ａにおける精査処理が完了する。紙幣釣銭機１０ａにおいて紙幣の精査処理が完了すると、当該紙幣釣銭機１０ａにおける紙幣の精査処理の結果に係る情報が紙幣釣銭機１０ａの紙幣釣銭機制御部６０からＰＯＳレジスタ７２のＰＯＳ制御部７３に送られる。このことにより、紙幣釣銭機１０ａにおける紙幣の精査処理の結果に係る情報がＰＯＳレジスタ７２の表示部７６で表示されたり印字部７５によりレシート等に印字されたりするようになる。
【００５８】
なお、上記の説明では、各紙幣収納部３４、３６、３８から出金リジェクト部２４に紙幣が送られる際に識別部３２により識別および計数が行われるような態様について述べたが、このような態様に限定されることはない。他の態様として、出金リジェクト部２４から各紙幣収納部３４、３６、３８に紙幣が戻される際に識別部３２により識別および計数が行われるようになっていてもよく、あるいは、各紙幣収納部３４、３６、３８から出金リジェクト部２４に紙幣が送られるときおよび出金リジェクト部２４から各紙幣収納部３４、３６、３８に紙幣が戻されるときの両方において識別部３２により識別および計数が行われるようになっていてもよい。
【００５９】
また、図６に示すような変形例に係る紙幣釣銭機１０ａでは、出金リジェクト部２４に集積された紙幣を収納繰出機構４０により接続搬送部３０ｂを介して周回搬送部３０ａに繰り出すことができるようになっているため、出金リジェクト部２４を、紙幣釣銭機１０ａにおいて紙幣の入金処理を行う際に紙幣受入部２０から周回搬送部３０ａに繰り出された紙幣を各紙幣収納部３４、３６、３８に送る前に一時的に保留する入金一時保留部や、紙幣釣銭機１０ａにおいて紙幣の出金処理を行う際に各紙幣収納部３４、３６、３８から周回搬送部３０ａに繰り出された紙幣を紙幣払出部２２に送る前に一時的に保留する出金一時保留部として使用することができる。
【００６０】
また、図６に示すような変形例に係る紙幣釣銭機１０ａでは、出金処理を行う際に、出金リジェクト紙幣が各紙幣収納部３４、３６、３８から出金リジェクト部２４に送られた後、操作者によって紙幣取出口２２ａから出金紙幣が取り出されると、出金リジェクト部２４に集積された出金リジェクト紙幣を当該出金リジェクト部２４から周回搬送部３０ａに繰り出して識別部３２により識別し、正常な紙幣は各紙幣収納部３４、３６、３８に戻すことができるようになる。この場合には、出金リジェクト紙幣を出金用の紙幣として再利用することができるようになる。
【００６１】
あるいは、紙幣釣銭機１０ａにおいて出金処理を行う際に、出金リジェクト紙幣が各紙幣収納部３４、３６、３８から出金リジェクト部２４に送られた後、操作者によって紙幣取出口２２ａから出金紙幣が取り出されると、出金リジェクト部２４に集積された出金リジェクト紙幣を紙幣払出部２２に送るようにしてもよい。この場合には、紙幣払出部２２から紙幣取出口２２ａに出金リジェクト紙幣を送ることにより操作者は紙幣取出口２２ａから出金リジェクト紙幣を取り出すことができるようになる。また、紙幣釣銭機１０ａにおいて出金処理を行う際に、出金リジェクト紙幣が各紙幣収納部３４、３６、３８から出金リジェクト部２４に送られた後、操作者によって紙幣取出口２２ａから出金紙幣が取り出されると、出金リジェクト部２４に集積された出金リジェクト紙幣を紙幣回収カセット２６に送るようにしてもよい。この場合には、操作者は紙幣回収カセット２６を紙幣釣銭機１０ａの本体部１４から引き出すことにより出金リジェクト紙幣を回収することができるようになる。
【００６２】
以上のように、図６に示すような変形例に係る紙幣釣銭機１０ａによれば、精査処理を行う際に、各紙幣収納部３４、３６、３８に収納されている紙幣を搬送部３０により出金リジェクト部２４に送った後にこの出金リジェクト部２４に集積された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた出金リジェクト部２４を用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。
【００６３】
また、別の変形例に係る紙幣釣銭機として、紙幣払出部２２や出金リジェクト部２４に収納繰出機構４０が設けられる代わりに、精査処理用の集積部（精査処理用第１集積部）が紙幣処理機の本体部１４とは別に単体で設けられ、このような精査処理用の集積部が、紙幣釣銭機における紙幣払出部２２、出金リジェクト部２４および紙幣回収カセット２６のうち少なくとも何れか一つのものと交換可能になっていてもよい。このような変形例に係る紙幣釣銭機の構成を図７Ａに示す。図７Ａに示す紙幣釣銭機１０ｂを説明するにあたり、図１Ｂに示す紙幣釣銭機１０と同一の構成部材については同一の参照符号を付してその説明を省略する。なお、図７Ａでは、紙幣払出部２２と精査処理用の集積部２７とが交換可能となっているような態様が図示されている。
【００６４】
図７Ａに示すような変形例に係る紙幣釣銭機１０ｂでは、紙幣払出部２２には収納繰出機構４０が設けられておらず、紙幣払出部２２に集積された紙幣を接続搬送部３０ｂに繰り出すことができないようになっている。すなわち、このような変形例に係る紙幣釣銭機１０ｂでは、紙幣払出部２２は、各紙幣収納部３４、３６、３８から周回搬送部３０ａに繰り出された紙幣を紙幣取出口２２ａにより本体部１４の外部へ放出する機能のみを有している。また、紙幣払出部２２、出金リジェクト部２４および紙幣回収カセット２６のうち少なくとも何れか一つのものは、紙幣釣銭機１０ｂの本体部１４から前方に取り外し可能となっている。一方、紙幣払出部２２、出金リジェクト部２４および紙幣回収カセット２６のうち少なくとも何れか一つのものと交換可能になっている精査処理用の集積部２７には、当該集積部２７に集積された紙幣を１枚ずつ繰り出す収納繰出機構４０が設けられている。なお、精査処理用の集積部２７に設けられる収納繰出機構４０において、駆動ローラ４７の設置が省略されてもよい。また、精査処理用の集積部２７には、当該集積部２７内の紙幣の有無を検知するセンサ（図示せず）が設けられており、このセンサによって精査処理用の集積部２７内に紙幣が存在するか否かが検知されるようになっている。
【００６５】
このような紙幣釣銭機１０ｂで紙幣の精査処理を行うにあたり、まず、精査処理用の集積部２７と、紙幣釣銭機１０ｂにおける紙幣払出部２２、出金リジェクト部２４および紙幣回収カセット２６のうち何れか一つのものとの交換が行われる。そして、各紙幣収納部３４、３６、３８から周回搬送部３０ａに繰り出された紙幣は識別部３２により識別された後、紙幣払出部２２や出金リジェクト部２４、紙幣回収カセット２６と交換された精査処理用の集積部２７に送られるようになる。各紙幣収納部３４、３６、３８から精査処理用の集積部２７に紙幣が全て送られると、当該集積部２７に集積された紙幣が収納繰出機構４０の搬送ベルト４２により１枚ずつ紙幣払出部２２に繰り出され、この紙幣払出部２２を通過した紙幣が接続搬送部３０ｂから周回搬送部３０ａに送られる。そして、周回搬送部３０ａに送られた紙幣は識別部３２により識別および計数が行われることなく各紙幣収納部３４、３６、３８に戻される。このようにして、全ての紙幣収納部３４、３６、３８に収納されている紙幣について上述の動作が行われて識別部３２により紙幣の識別および計数が行われると、紙幣釣銭機１０ｂにおける精査処理が完了する。紙幣釣銭機１０ｂにおいて紙幣の精査処理が完了すると、当該紙幣釣銭機１０ｂにおける紙幣の精査処理の結果に係る情報が紙幣釣銭機１０ｂの紙幣釣銭機制御部６０からＰＯＳレジスタ７２のＰＯＳ制御部７３に送られる。このことにより、紙幣釣銭機１０ｂにおける紙幣の精査処理の結果に係る情報がＰＯＳレジスタ７２の表示部７６で表示されたり印字部７５によりレシート等に印字されたりするようになる。また、紙幣釣銭機１０ｂにおいて紙幣の精査処理が完了すると、精査処理用の集積部２７が紙幣釣銭機１０ｂの本体部１４から取り出され、紙幣釣銭機１０ｂの本体部１４から最初に取り出された紙幣払出部２２、出金リジェクト部２４または紙幣回収カセット２６が本体部１４に戻されるようになる。
【００６６】
なお、上記の説明では、各紙幣収納部３４、３６、３８から精査処理用の集積部２７に紙幣が送られる際に識別部３２により識別および計数が行われるような態様について述べたが、このような態様に限定されることはない。他の態様として、精査処理用の集積部２７から各紙幣収納部３４、３６、３８に紙幣が戻される際に識別部３２により識別および計数が行われるようになっていてもよく、あるいは、各紙幣収納部３４、３６、３８から精査処理用の集積部２７に紙幣が送られるときおよび精査処理用の集積部２７から各紙幣収納部３４、３６、３８に紙幣が戻されるときの両方において識別部３２により識別および計数が行われるようになっていてもよい。
【００６７】
以上のように、図７Ａに示すような変形例に係る紙幣釣銭機１０ｂによれば、精査処理を行う際に、精査処理用の集積部２７と、紙幣釣銭機１０ｂにおける紙幣払出部２２、出金リジェクト部２４および紙幣回収カセット２６のうち何れか一つのものとを交換した後、各紙幣収納部３４、３６、３８に収納されている紙幣を搬送部３０により精査処理用の集積部２７に送った後にこの集積部２７に集積された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた精査処理用の集積部２７を用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。また、複数の紙幣釣銭機１０ｂに対して１つの精査処理用の集積部２７を用いることにより、準備すべき精査処理用の集積部２７の数を紙幣釣銭機１０ｂの数よりも少なくすることができるようになる。
【００６８】
また、更に別の変形例に係る紙幣釣銭機として、紙幣払出部２２や出金リジェクト部２４に収納繰出機構４０が設けられる代わりに精査処理専用の集積部２８が本体部１４に設けられたものが用いられてもよい。このような変形例に係る紙幣釣銭機の構成を図７Ｂに示す。図７Ｂに示す紙幣釣銭機１０ｃを説明するにあたり、図１Ｂに示す紙幣釣銭機１０と同一の構成部材については同一の参照符号を付してその説明を省略する。
【００６９】
図７Ｂに示す紙幣釣銭機１０ｃでは、紙幣払出部２２には収納繰出機構４０が設けられておらず、紙幣払出部２２に集積された紙幣を接続搬送部３０ｂに繰り出すことができないようになっている。すなわち、図７Ｂに示す紙幣釣銭機１０ｃでは、紙幣払出部２２は、各紙幣収納部３４、３６、３８から周回搬送部３０ａに繰り出された紙幣を紙幣取出口２２ａにより本体部１４の外部へ放出する機能のみを有している。
【００７０】
一方、図７Ｂに示す紙幣釣銭機１０ｃでは、精査処理専用の集積部２８が接続搬送部３０ｂを介して周回搬送部３０ａに接続されており、この精査処理専用の集積部２８に収納繰出機構４０が設けられている。このことにより、精査処理専用の集積部２８に集積された紙幣を１枚ずつ収納繰出機構４０により接続搬送部３０ｂを介して周回搬送部３０ａに繰り出すことができるようになっている。なお、紙幣払出部２２に収納繰出機構４０を設けた場合と異なり、精査処理専用の集積部２８に集積された紙幣は収納繰出機構４０によりこの集積部２８から本体部１４の外部に放出されることがないため、収納繰出機構４０において各駆動ローラ４７の設置を省略することができる。
【００７１】
次に、図７Ｂに示すような変形例に係る紙幣釣銭機１０ｃにおいて紙幣の精査処理が行われる際の動作について以下に説明する。
【００７２】
精査処理開始の指令が操作者によってＰＯＳレジスタ７２の操作部７７により入力されて当該ＰＯＳレジスタ７２から紙幣釣銭機１０ｃの紙幣釣銭機制御部６０に精査処理開始の指令が送られると、複数の紙幣収納部３４、３６、３８のうちまず紙幣収納部３４に収納されている紙幣が繰出機構３５により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図７Ｂにおける時計回りの方向に少なくとも１周回るよう搬送され、この際に識別部３２により紙幣の金種等の識別および計数が行われる。識別部３２により正常な紙幣であると識別された紙幣は精査処理専用の集積部２８に送られ、集積部２８に設けられた収納繰出機構４０のステージ４８上に集積される。一方、識別部３２による識別結果により正常な紙幣ではないと判別された紙幣（例えば、重送や斜行等の搬送異常の紙幣）は検査リジェクト紙幣として搬送部３０により出金リジェクト部２４に搬送され、この出金リジェクト部２４に集積される。出金リジェクト部２４に集積された検査リジェクト紙幣は、管理者等の所定の権限を有する者が紙幣釣銭機１０ｃのケーシング１２から本体部１４を手前側に引き出すことにより取り出すことができるようになる。
【００７３】
そして、紙幣収納部３４に収納されている紙幣が全て精査処理専用の集積部２８や出金リジェクト部２４に送られると、集積部２８に集積された紙幣が収納繰出機構４０の搬送ベルト４２により１枚ずつ接続搬送部３０ｂに繰り出され、この接続搬送部３０ｂから周回搬送部３０ａに紙幣が受け渡される。そして、周回搬送部３０ａに送られた紙幣は識別部３２により識別および計数が行われることなく紙幣収納部３４に戻される。全ての紙幣が紙幣収納部３４に戻されると、当該金種（千円）の紙幣の在高が確定する。紙幣収納部３４に収納されている紙幣について上述の動作が完了すると、紙幣収納部３６、３８に収納されている紙幣についても上述の動作が紙幣収納部毎に行われる。このようにして、全ての紙幣収納部３４、３６、３８に収納されている紙幣について上述の動作が行われて識別部３２により紙幣の識別および計数が行われると、紙幣釣銭機１０ｃにおける精査処理が完了する。紙幣釣銭機１０ｃにおいて紙幣の精査処理が完了すると、当該紙幣釣銭機１０ｃにおける紙幣の精査処理の結果に係る情報が紙幣釣銭機１０ｃの紙幣釣銭機制御部６０からＰＯＳレジスタ７２のＰＯＳ制御部７３に送られる。このことにより、紙幣釣銭機１０ｃにおける紙幣の精査処理の結果に係る情報がＰＯＳレジスタ７２の表示部７６で表示されたり印字部７５によりレシート等に印字されたりするようになる。
【００７４】
なお、上記の説明では、各紙幣収納部３４、３６、３８から精査処理専用の集積部２８に紙幣が送られる際に識別部３２により識別および計数が行われるような態様について述べたが、このような態様に限定されることはない。他の態様として、精査処理専用の集積部２８から各紙幣収納部３４、３６、３８に紙幣が戻される際に識別部３２により識別および計数が行われるようになっていてもよく、あるいは、各紙幣収納部３４、３６、３８から精査処理専用の集積部２８に紙幣が送られるときおよび精査処理専用の集積部２８から各紙幣収納部３４、３６、３８に紙幣が戻されるときの両方において識別部３２により識別および計数が行われるようになっていてもよい。
【００７５】
また、図７Ｂに示すような変形例に係る紙幣釣銭機１０ｃでは、集積部２８に集積された紙幣を収納繰出機構４０により接続搬送部３０ｂを介して周回搬送部３０ａに繰り出すことができるようになっている。このため、集積部２８を、精査処理専用のものとしてではなく、紙幣釣銭機１０ｃにおいて紙幣の入金処理を行う際に紙幣受入部２０から周回搬送部３０ａに繰り出された紙幣を各紙幣収納部３４、３６、３８に送る前に一時的に保留する入金一時保留部や、紙幣釣銭機１０ｃにおいて紙幣の出金処理を行う際に各紙幣収納部３４、３６、３８から周回搬送部３０ａに繰り出された紙幣を紙幣払出部２２に送る前に一時的に保留する出金一時保留部として使用することができる。
【００７６】
以上のように、図７Ｂに示すような変形例に係る紙幣釣銭機１０ｃによれば、精査処理を行う際に、各紙幣収納部３４、３６、３８に収納されている紙幣を搬送部３０により精査処理専用の集積部２８に送った後にこの集積部２８に集積された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた精査処理専用の集積部２８を用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。
【００７７】
また、更に別の変形例に係る紙幣釣銭機として、紙幣釣銭機の本体部に精査処理用の集積部（精査処理用第２集積部）が着脱自在となっているようなものが用いられてもよい。このような変形例に係る紙幣釣銭機の構成を図８に示す。図８に示す紙幣釣銭機１０ｄを説明するにあたり、図１Ｂに示す紙幣釣銭機１０と同一の構成部材については同一の参照符号を付してその説明を省略する。
【００７８】
図８に示す紙幣釣銭機１０ｄでは、精査処理用の集積部２９が紙幣釣銭機１０ｄの本体部１４における紙幣払出部２２に着脱自在となっており、このような精査処理用の集積部２９には収納繰出機構４０が設けられている。また、精査処理用の集積部２９には、当該集積部２９内の紙幣の有無を検知するセンサ（図示せず）が設けられており、このセンサによって精査処理用の集積部２９内に紙幣が存在するか否かが検知されるようになっている。なお、精査処理用の集積部２９に設けられる収納繰出機構４０において、駆動ローラ４７の設置が省略されてもよい。このような紙幣釣銭機１０ｄにおいて紙幣の入金処理や出金処理が行われるときには、紙幣払出部２２から精査処理用の集積部２９が取り外され、紙幣払出部２２から紙幣取出口２２ａに送られた紙幣を操作者は当該紙幣取出口２２ａから抜き取ることができるようになる。
【００７９】
一方、紙幣釣銭機１０ｄにおいて紙幣の精査処理が行われるときには紙幣払出部２２に精査処理用の集積部２９が取り付けられ、各紙幣収納部３４、３６、３８から周回搬送部３０ａに繰り出された紙幣は識別部３２により識別された後、紙幣払出部２２を通って精査処理用の集積部２９に送られるようになる。そして、各紙幣収納部３４、３６、３８から精査処理用の集積部２９に紙幣が全て送られると、当該集積部２９に集積された紙幣が収納繰出機構４０の搬送ベルト４２により１枚ずつ紙幣払出部２２に繰り出され、この紙幣払出部２２を通った紙幣が接続搬送部３０ｂから周回搬送部３０ａに送られる。そして、周回搬送部３０ａに送られた紙幣は識別部３２により識別および計数が行われることなく各紙幣収納部３４、３６、３８に戻される。このようにして、全ての紙幣収納部３４、３６、３８に収納されている紙幣について上述の動作が行われて識別部３２により紙幣の識別および計数が行われると、紙幣釣銭機１０ｄにおける精査処理が完了する。紙幣釣銭機１０ｄにおいて紙幣の精査処理が完了すると、当該紙幣釣銭機１０ｄにおける紙幣の精査処理の結果に係る情報が紙幣釣銭機１０ｄの紙幣釣銭機制御部６０からＰＯＳレジスタ７２のＰＯＳ制御部７３に送られる。このことにより、紙幣釣銭機１０ｄにおける紙幣の精査処理の結果に係る情報がＰＯＳレジスタ７２の表示部７６で表示されたり印字部７５によりレシート等に印字されたりするようになる。
【００８０】
なお、上記の説明では、各紙幣収納部３４、３６、３８から精査処理用の集積部２９に紙幣が送られる際に識別部３２により識別および計数が行われるような態様について述べたが、このような態様に限定されることはない。他の態様として、精査処理用の集積部２９から各紙幣収納部３４、３６、３８に紙幣が戻される際に識別部３２により識別および計数が行われるようになっていてもよく、あるいは、各紙幣収納部３４、３６、３８から精査処理用の集積部２９に紙幣が送られるときおよび精査処理用の集積部２９から各紙幣収納部３４、３６、３８に紙幣が戻されるときの両方において識別部３２により識別および計数が行われるようになっていてもよい。
【００８１】
また、図８に示す紙幣釣銭機１０ｄでは、紙幣払出部２２に精査処理用の集積部２９が取り付けられたときに、本体部１４から収納繰出機構４０の搬送ベルト４２や紙幣押さえ部材４６に動力が伝達されることによって搬送ベルト４２は精査処理用の集積部２９に収納された紙幣を接続搬送部３０ｂに繰り出すようになっていてもよい。この場合には、精査処理用の集積部２９に収納繰出機構４０の動力源を設ける必要がなくなるため、当該集積部２９の小型化や軽量化を図ることができるようになる。なお、他の態様の集積部２９として、当該集積部２９の内部に収納繰出機構４０の動力源が設けられたものが用いられてもよい。
【００８２】
また、図８に示す紙幣釣銭機１０ｄでは、各紙幣収納部３４、３６、３８から紙幣払出部２２を介して精査処理用の集積部２９に紙幣が送られた後、この集積部２９に集積された紙幣は紙幣受入部２０（または紙幣受入口２０ａ）に戻されるようになっていてもよい。この場合には、集積部２９から紙幣受入部２０に戻された紙幣は、当該紙幣受入部２０に設けられた繰出機構２１により接続搬送部３０ｂを介して周回搬送部３０ａに送られるようになる。このような構成の紙幣釣銭機１０ｄによれば、収納繰出機構４０のような紙幣を１枚ずつ繰り出すことができる機構を精査処理用の集積部２９に設ける必要はなく、代わりに、集積部２９に集積された紙幣を一括して紙幣受入部２０に送るような機構を当該集積部２９に設けるだけでよい。
【００８３】
以上のように、図８に示すような変形例に係る紙幣釣銭機１０ｄによれば、精査処理を行う際に、紙幣払出部２２に精査処理用の集積部２９を取り付けた後、各紙幣収納部３４、３６、３８に収納されている紙幣を搬送部３０により紙幣払出部２２を介して精査処理用の集積部２９に送った後にこの集積部２９に集積された紙幣を搬送部３０により各紙幣収納部３４、３６、３８に戻し、この間に搬送部３０の周回搬送部３０ａにより搬送される紙幣を識別部３２により識別するようになっている。この場合には、精査処理を行う際に紙幣収納部３４、３６、３８とは別に設けられた精査処理用の集積部２９を用いることにより紙幣収納部３４、３６、３８に収納された紙幣を他の紙幣収納部３４、３６、３８に移す必要がないため、紙幣収納部３４、３６、３８に収納されている紙幣が多い場合でも確実に精査処理を行うことができ、また複数の金種の紙幣が混合してしまうことを防止することができる。また、複数の紙幣釣銭機１０ｄに対して１つの精査処理用の集積部２９を用いることにより、準備すべき精査処理用の集積部２９の数を紙幣釣銭機１０ｄの数よりも少なくすることができるようになる。
【００８４】
なお、図８に示す紙幣釣銭機１０ｄでは、精査処理用の集積部２９が紙幣釣銭機１０ｄの本体部１４における紙幣払出部２２に着脱自在となっている例について説明したが、精査処理用の集積部２９が紙幣釣銭機１０ｄの本体部１４における紙幣払出部２２以外の処理部（例えば、紙幣受入部２０、出金リジェクト部２４、紙幣回収カセット２６等）に着脱自在となっていてもよい。この場合には、紙幣釣銭機１０ｄにおいて紙幣の精査処理が行われるときに、紙幣受入部２０、出金リジェクト部２４または紙幣回収カセット２６に精査処理用の集積部２９が取り付けられ、各紙幣収納部３４、３６、３８から周回搬送部３０ａに繰り出された紙幣は識別部３２により識別された後、紙幣受入部２０、出金リジェクト部２４または紙幣回収カセット２６を通って精査処理用の集積部２９に送られるようになる。
【００８５】
また、更に別の変形例に係る紙幣釣銭機として、図９に示すような構成のものが用いられてもよい。図９に示す紙幣釣銭機１１０は、略直方体形状の筐体１１４を備えており、筐体１１４の前面（図９における左側の側面）には、筐体１１４の外部から内部に紙幣を入金するための入金部１２０と、筐体１１４の内部から外部に紙幣を出金するための出金部１２２と、筐体１１４の内部に収納されている紙幣を回収するための紙幣回収カセット１２６がそれぞれ設けられている。また、これらの入金部１２０、出金部１２２および紙幣回収カセット１２６には搬送部１３０が接続されており、当該搬送部１３０は筐体１１４内で紙幣を１枚ずつ搬送するようになっている。また、搬送部１３０には、当該搬送部１３０により搬送される紙幣の金種、真偽、正損等の識別を行う識別部１３２が設けられている。また、筐体１１４の内部において、搬送部１３０には３つの紙幣収納部１３４、１３６、１３８が接続されており、各紙幣収納部１３４、１３６、１３８は、識別部１３２の識別結果に基づいて紙幣を金種別に収納するようになっている。また、筐体１１４の内部において、搬送部１３０には出金リジェクト部１２４が接続されている。また、紙幣釣銭機１１０には、当該紙幣釣銭機１１０の各構成部材の制御を行う制御部１６０が設けられている。このような紙幣釣銭機１１０の各構成部材について以下に詳述する。
【００８６】
入金部１２０には繰出機構（図示せず）が設けられており、当該入金部１２０に１枚あるいは複数枚の紙幣が投入されたことが検知されると繰出機構が駆動されることにより入金部１２０に投入された紙幣が搬送部１３０に１枚ずつ繰り出されるようになっている。また、入金部１２０には、当該入金部１２０の入金口を選択的に塞ぐシャッタ１２０ａが設けられており、シャッタ１２０ａが開いたときにのみ操作者は入金部１２０に紙幣を投入することができるようになっている。
【００８７】
出金部１２２は、各紙幣収納部１３４、１３６、１３８から搬送部１３０を介して当該出金部１２２に送られた紙幣を、出金口を介して筐体１１４の外部へ放出するようになっている。また、出金部１２２には、当該出金部１２２の入金口を選択的に塞ぐシャッタ１２２ａが設けられており、シャッタ１２２ａが開いたときにのみ操作者は出金部１２２から紙幣を取り出すことができるようになっている。
【００８８】
紙幣釣銭機１１０の筐体１１４の前面下部にはカセット収容部が設けられており、このカセット収容部に紙幣回収カセット１２６が着脱可能に収容されるようになっている。紙幣回収カセット１２６は筐体１１４の前面から手前側に引き出すことにより当該筐体１１４の外部に取り出すことができるようになっている。
【００８９】
上述したように、各紙幣収納部１３４、１３６、１３８は、識別部１３２の識別結果に基づいて紙幣を金種別に収納するようになっている。具体的には、例えば紙幣収納部１３４には千円札が収納され、紙幣収納部１３６には二千円札および五千円札が混合状態で収納され、紙幣収納部１３８には一万円札が収納されるようになっている。また、各紙幣収納部１３４、１３６、１３８にはそれぞれ繰出機構（図示せず）が設けられており、これらの紙幣収納部１３４、１３６、１３８に収納されている紙幣は各繰出機構により搬送部１３０に１枚ずつ繰り出されるようになっている。
【００９０】
出金リジェクト部１２４は、出金処理時において各紙幣収納部１３４、１３６、１３８から繰り出された紙幣のうち、重送や斜行等の搬送異常により識別部１３２で識別することができない紙幣を出金リジェクト紙幣として収納するようになっている。
【００９１】
図９に示す紙幣釣銭機１１０では、出金リジェクト部１２４に収納繰出機構１４０が設けられており、出金リジェクト部１２４に収納された紙幣を収納繰出機構１４０により当該出金リジェクト部１２４から搬送部１３０に繰り出すことができるようになっている。ここで、出金リジェクト部１２４に設けられた収納繰出機構１４０の構成は、上述した収納繰出機構４０の構成と略同一となっているが、収納繰出機構１４０において、収納繰出機構４０における各駆動ローラ４７の設置を省略することができる。また、出金リジェクト部１２４には、当該出金リジェクト部１２４内の紙幣の有無を検知するセンサ（図示せず）が設けられており、このセンサによって出金リジェクト部１２４内に紙幣が存在するか否かが検知されるようになっている。
【００９２】
このような図９に示す紙幣釣銭機１１０では、紙幣の精査処理を行う際に出金リジェクト部１２４が用いられるようになっている。図９に示す紙幣釣銭機１１０において紙幣の精査処理を行う際の動作について以下に説明する。
【００９３】
紙幣釣銭機１１０に設けられた制御部１６０に精査処理開始の指令が送られると、出金リジェクト部１２４内に出金リジェクト紙幣が存在するか否かがチェックされ、出金リジェクト部１２４内に出金リジェクト紙幣が存在する場合は、当該紙幣は出金リジェクト部１２４から繰り出されて識別部１３２により識別された後に対応する紙幣収納部１３４、１３６、１３８に振り分けられるか、紙幣回収カセット１２６に送られて回収される。出金リジェクト部１２４が空の場合、あるいは空になった場合は、複数の紙幣収納部１３４、１３６、１３８のうちまず紙幣収納部１３４に収納されている紙幣が１枚ずつ搬送部１３０に繰り出され、当該搬送部１３０により搬送される。この際に、識別部１３２により紙幣の金種等の識別および計数が行われる。識別部１３２により正常な紙幣であると識別された紙幣は出金リジェクト部１２４に送られ、当該出金リジェクト部１２４に集積される。一方、識別部１３２による識別結果により正常な紙幣ではないと判別された紙幣（例えば、重送や斜行等の搬送異常の紙幣）は検査リジェクト紙幣として搬送部１３０により出金リジェクト部１２４以外の箇所、具体的には例えば出金部１２２に搬送され、この出金部１２２に集積される。出金部１２２に集積された検査リジェクト紙幣は、紙幣釣銭機１１０における紙幣の精査処理が完了した後、当該出金部１２２に設けられたシャッタ１２２ａが開くことにより、操作者は出金部１２２から検査リジェクト紙幣を抜き取ることができるようになる。
【００９４】
そして、紙幣収納部１３４に収納されている紙幣が全て出金部１２２や出金リジェクト部１２４に送られると、出金リジェクト部１２４に集積された紙幣が収納繰出機構１４０により１枚ずつ搬送部１３０に繰り出され、当該搬送部１３０により搬送される。そして、搬送部１３０により搬送される紙幣は識別部１３２により識別および計数が行われることなく紙幣収納部１３４に戻される。全ての紙幣が紙幣収納部１３４に戻されると、当該金種（千円）の紙幣の在高が確定する。紙幣収納部１３４に収納されている紙幣について上述の動作が完了すると、紙幣収納部１３６、１３８に収納されている紙幣についても上述の動作が紙幣収納部毎に行われる。このようにして、全ての紙幣収納部１３４、１３６、１３８に収納されている紙幣について上述の動作が行われて識別部１３２により紙幣の識別および計数が行われると、紙幣釣銭機１１０における精査処理が完了する。
【００９５】
なお、上記の説明では、各紙幣収納部１３４、１３６、１３８から出金リジェクト部１２４に紙幣が送られる際に識別部１３２により識別および計数が行われるような態様について述べたが、このような態様に限定されることはない。他の態様として、出金リジェクト部１２４から各紙幣収納部１３４、１３６、１３８に紙幣が戻される際に識別部１３２により識別および計数が行われるようになっていてもよく、あるいは、各紙幣収納部１３４、１３６、１３８から出金リジェクト部１２４に紙幣が送られるときおよび出金リジェクト部１２４から各紙幣収納部１３４、１３６、１３８に紙幣が戻されるときの両方において識別部１３２により識別および計数が行われるようになっていてもよい。
【００９６】
また、図９に示すような変形例に係る紙幣釣銭機１１０では、出金リジェクト部１２４に集積された紙幣を収納繰出機構１４０により搬送部１３０に繰り出すことができるようになっているため、出金リジェクト部１２４を、紙幣釣銭機１１０において紙幣の入金処理を行う際に入金部１２０から搬送部１３０に繰り出された紙幣を各紙幣収納部１３４、１３６、１３８に送る前に一時的に保留する入金一時保留部や、紙幣釣銭機１１０において紙幣の出金処理を行う際に各紙幣収納部１３４、１３６、１３８から搬送部１３０に繰り出された紙幣を出金部１２２に送る前に一時的に保留する出金一時保留部として使用することができる。
【００９７】
また、図９に示すような変形例に係る紙幣釣銭機１１０では、出金処理を行う際に、出金リジェクト紙幣が各紙幣収納部１３４、１３６、１３８から出金リジェクト部１２４に送られた後、操作者によって出金部１２２から出金紙幣が取り出されると、当該出金リジェクト部１２４から出金リジェクト紙幣を搬送部１３０に繰り出して識別部１３２により識別し、正常な紙幣は各紙幣収納部１３４、１３６、１３８に戻すことができるようになる。この場合には、出金リジェクト紙幣を出金用の紙幣として再利用することができるようになる。
【００９８】
あるいは、紙幣釣銭機１１０において出金処理を行う際に、出金リジェクト紙幣が各紙幣収納部１３４、１３６、１３８から出金リジェクト部１２４に送られた後、操作者によって出金部１２２から出金紙幣が取り出されると、出金リジェクト部１２４に集積された出金リジェクト紙幣を出金部１２２に送るようにしてもよい。この場合には、操作者は出金部１２２から出金リジェクト紙幣を取り出すことができるようになる。また、紙幣釣銭機１１０において出金処理を行う際に、出金リジェクト紙幣が各紙幣収納部１３４、１３６、１３８から出金リジェクト部１２４に送られた後、操作者によって出金部１２２から出金紙幣が取り出されると、出金リジェクト部１２４に集積された出金リジェクト紙幣を紙幣回収カセット１２６に送るようにしてもよい。この場合には、操作者は紙幣回収カセット１２６を紙幣釣銭機１１０の筐体１１４から引き出すことにより出金リジェクト紙幣を回収することができるようになる。
【００９９】
以上のように、図９に示すような変形例に係る紙幣釣銭機１１０によれば、精査処理を行う際に、各紙幣収納部１３４、１３６、１３８に収納されている紙幣を搬送部１３０により出金リジェクト部１２４に送った後にこの出金リジェクト部１２４に集積された紙幣を搬送部１３０により各紙幣収納部１３４、１３６、１３８に戻し、この間に搬送部１３０により搬送される紙幣を識別部１３２により識別するようになっている。この場合には、精査処理を行う際に紙幣収納部１３４、１３６、１３８とは別に設けられた出金リジェクト部１２４を用いることにより紙幣収納部１３４、１３６、１３８に収納された紙幣を他の紙幣収納部１３４、１３６、１３８に移す必要がないため、紙幣収納部１３４、１３６、１３８に収納されている紙幣が多い場合でも確実に精査処理を行うことができ、また複数の金種の紙幣が混合してしまうことを防止することができる。
【０１００】
また、図９に示すような変形例に係る紙幣釣銭機１１０において、出金リジェクト部１２４に収納繰出機構１４０を設置する代わりに、出金部１２２に収納繰出機構１４０を設置してもよい。この場合には、紙幣の精査処理を行う際に出金リジェクト部１２４ではなく出金部１２２が用いられるようになる。具体的には、紙幣釣銭機１１０に設けられた制御部１６０に精査処理開始の指令が送られると、複数の紙幣収納部１３４、１３６、１３８のうちまず紙幣収納部１３４に収納されている紙幣が１枚ずつ搬送部１３０に繰り出され、当該搬送部１３０により搬送される。この際に、識別部１３２により紙幣の金種等の識別および計数が行われる。識別部１３２により正常な紙幣であると識別された紙幣は出金部１２２に送られ、当該出金部１２２に集積される。一方、識別部１３２による識別結果により正常な紙幣ではないと判別された紙幣（例えば、重送や斜行等の搬送異常の紙幣）は検査リジェクト紙幣として搬送部１３０により出金リジェクト部１２４に搬送され、この出金リジェクト部１２４に集積される。出金リジェクト部１２４に集積された検査リジェクト紙幣は、紙幣釣銭機１１０における紙幣の精査処理が完了した後、操作者が筐体１０４の扉（図示せず）を開いて当該筐体１０４の内部にアクセスすることにより出金リジェクト部１２４から検査リジェクト紙幣を抜き取ることができるようになる。そして、紙幣収納部１３４に収納されている紙幣が全て出金部１２２や出金リジェクト部１２４に送られると、出金部１２２に集積された紙幣が収納繰出機構１４０により１枚ずつ搬送部１３０に繰り出され、当該搬送部１３０により搬送される。そして、搬送部１３０により搬送される紙幣は識別部１３２により識別および計数が行われることなく紙幣収納部１３４に戻される。全ての紙幣が紙幣収納部１３４に戻されると、当該金種（千円）の紙幣の在高が確定する。紙幣収納部１３４に収納されている紙幣について上述の動作が完了すると、紙幣収納部１３６、１３８に収納されている紙幣についても上述の動作が紙幣収納部毎に行われる。このようにして、全ての紙幣収納部１３４、１３６、１３８に収納されている紙幣について上述の動作が行われて識別部１３２により紙幣の識別および計数が行われると、紙幣釣銭機１１０における精査処理が完了する。
【０１０１】
また、図１乃至図９に示すような各紙幣釣銭機以外の構成の紙幣釣銭機として、紙幣の入金処理を行う際に筐体の内部に投入された紙幣を紙幣収納部に送る前に一時的に保留する入金一時保留部や、紙幣の出金処理を行う際に紙幣収納部から搬送部に繰り出された紙幣を出金部に送る前に一時的に保留する出金一時保留部が、入金部や出金部とは別に設けられたものが用いられてもよい。この場合には、紙幣の精査処理を行う際に、紙幣収納部から搬送部に繰り出された紙幣が入金一時保留部や出金一時保留部に送られた後、これらの入金一時保留部や出金一時保留部から紙幣が元の紙幣収納部に戻されるようになっていてもよい。また、これらの入金一時保留部や出金一時保留部と、精査処理用の集積部（精査処理用第１集積部）とが交換可能となっていてもよい。また、これらの入金一時保留部や出金一時保留部に、精査処理用の集積部（精査処理用第２集積部）が取付可能となっていてもよい。
【０１０２】
また、図１乃至図９に示すような各紙幣釣銭機以外の構成の紙幣釣銭機として、紙幣の入金処理を行う際に識別部により正常な紙幣ではないと識別された入金リジェクト紙幣が集積される入金リジェクト部が入金部や出金部とは別に設けられたものが用いられてもよい。この場合には、紙幣の精査処理を行う際に、紙幣収納部から搬送部に繰り出された紙幣が入金リジェクト部に送られた後、この入金リジェクト部から紙幣が元の紙幣収納部に戻されるようになっていてもよい。また、この入金リジェクト部と、精査処理用の集積部（精査処理用第１集積部）とが交換可能となっていてもよい。また、この入金リジェクト部に、精査処理用の集積部（精査処理用第２集積部）が取付可能となっていてもよい。
【符号の説明】
【０１０３】
１０、１０ａ、１０ｂ、１０ｃ、１０ｄ  紙幣釣銭機
１２      ケーシング
１４      本体部
１６      引き出しレール
２０      紙幣受入部
２０ａ    紙幣受入口
２１      繰出機構
２２      紙幣払出部
２２ａ    紙幣取出口
２４      出金リジェクト部
２６      紙幣回収カセット
２７      集積部（精査処理用第１集積部）
２８      精査処理専用の集積部
２９      集積部（精査処理用第２集積部）
３０      搬送部
３０ａ    周回搬送部
３０ｂ    接続搬送部
３２      識別部
３４、３６、３８  紙幣収納部
３５、３７、３９      繰出機構
４０      収納繰出機構
４２      搬送ベルト
４４      ピンチローラ
４５      分離ローラ
４６      紙幣押さえ部材
４７      駆動ローラ
４８      ステージ
４９      昇降機構
６０      紙幣釣銭機制御部
６１      インターフェース
７０      硬貨釣銭機
７０ａ    硬貨釣銭機制御部
７１      インターフェース
７２      ＰＯＳレジスタ
７３      ＰＯＳ制御部
７４      カードリーダ
７５      印字部
７６      表示部
７７      操作部
７８      記憶部
７９      インターフェース
８０      棒金収納装置
１１０    紙幣釣銭機
１１４    筐体
１２０    入金部
１２０ａ  シャッタ
１２２    出金部
１２２ａ  シャッタ
１２４    出金リジェクト部
１２６    紙幣回収カセット
１３０    搬送部
１３２    識別部
１３４、１３６、１３８  紙幣収納部
１４０    収納繰出機構
１６０    制御部
【図１Ａ】
2018125047.tif 000003
【図１Ｂ】
2018125047.tif 000004
【図２】
2018125047.tif 000005
【図３】
2018125047.tif 000006
【図４】
2018125047.tif 000007
【図５】
2018125047.tif 000008
【図６】
2018125047.tif 000009
【図７Ａ】
2018125047.tif 000010
【図７Ｂ】
2018125047.tif 000011
【図８】
2018125047.tif 000012
【図９】
2018125047.tif 000013